(57)【要約】【課題】  工事や障害等による通常の停電と、電力供給制限モードの双方に合わせた運転を行うことができる床暖房装置を提供する。【解決手段】  床暖房装置１は、電気が供給されて発熱するヒータパネル２と、ヒータパネル２の駆動及び駆動の停止を制御する制御部３２を備え、制御部３２は、電気の供給及び供給の停止を検出する検出部３２ａと、電気の供給される時間と供給が停止される時間を計時する計時部３２ｂを備え、電気の供給される時間と供給が停止される時間から、電力供給制限モードが実行されていると判断すると、電力供給制限モードでの電気の供給の有無に連動して、ヒータパネル２の駆動と駆動停止を制御する供給判定運転再開モードを備える。【選択図】    図１
2014167356.tif 000002
【特許請求の範囲】
【請求項１】
発熱手段と、
前記発熱手段の駆動及び駆動の停止を制御する制御手段とを備え、
前記制御手段は、電気の供給及び供給の停止を検出する検出手段を備え、前記検出手段で検出した電気の供給の有無に基づき、前記発熱手段を駆動するか、前記発熱手段の駆動を停止するかを判断する
ことを特徴とする設備機器。
【請求項２】
前記制御手段は、電気の供給が停止して前記発熱手段の駆動を停止した後、電気の供給が再開されると、電気の供給される時間と供給が停止される時間が予め設定された電力供給制限モードが実行されているか否かを判断し、前記発熱手段の駆動と駆動停止を制御する復帰処理モードを備えた
ことを特徴とする請求項１に記載の設備機器。
【請求項３】
前記制御手段は、電気の供給される時間と供給が停止される時間を計時する計時手段を備え、
電気の供給が停止して前記発熱手段の駆動を停止すると、電気の供給が停止される時間を前記計時手段で計時し、電気の供給が再開されると、電気の供給される時間を前記計時手段で計時して、
電気の供給される時間と供給が停止される時間から、予め設定された電力供給制限モードが実行されているか否かを判断し、電力供給制限モードが実行されていると判断すると、電力供給制限モードでの電気の供給の有無に連動して、前記発熱手段の駆動と駆動停止を制御する供給判定運転再開モードを備えた
ことを特徴とする請求項２に記載の設備機器。
【請求項４】
復帰処理モードで供給判定運転再開モードの実行の有無を選択する操作手段を備えた
ことを特徴とする請求項３に記載の設備機器。
【請求項５】
電力供給制限モードにおいて電気の供給される時間と供給が停止される時間が予め設定された複数の電力供給パターンが記憶された記憶手段を備え、
前記記憶手段に記憶された電力供給パターンが前記操作手段で選択される
ことを特徴とする請求項４に記載の設備機器。
【発明の詳細な説明】
【技術分野】
【０００１】
本発明は、住宅に設置され、電気が供給されて運転される設備機器に関する。
【背景技術】
【０００２】
従来から、消費電力を低減させるために、電気が供給される時間と供給が停止する時間が予め設定されている電力供給制限モードと称される電力の供給形態がある。
【０００３】
電力会社との契約により電力供給制限モードが実行されていると、１日の中の決められた時間帯に、電気が供給される時間と供給が停止する時間が存在する。従来、このような電力供給制限モードに対応する装置として、電気の供給が停止している時間中に、タイマの時間設定や温度設定等、所定の操作を行えるようにした床暖房装置が提案されている（例えば、特許文献１参照）。
【０００４】
また、電気の供給が停止される時間に合わせて、出力を高める暖房システムが提案されている（例えば、特許文献２参照）。
【先行技術文献】
【特許文献】
【０００５】
【特許文献１】特開平０８−１８９６５６号公報
【特許文献２】特開２００８−０３２２８１号公報
【発明の概要】
【発明が解決しようとする課題】
【０００６】
特許文献２においては、電力供給制限モードで電気の供給が停止される時刻、時間を予め設定することで、電力供給制限モードに合わせた運転が可能である。しかし、工事や障害等による通常の停電と、電力供給制限モードの双方に合わせた運転を行うことはできない。
【０００７】
本発明は、このような課題を解決するためになされたもので、工事や障害等による通常の停電と、電力供給制限モードの双方に合わせた運転を行うことができる設備機器を提供することを目的とする。
【課題を解決するための手段】
【０００８】
上述した課題を解決するため、本発明は、発熱手段と、発熱手段の駆動及び駆動の停止を制御する制御手段とを備え、制御手段は、電気の供給及び供給の停止を検出する検出手段を備え、検出手段で検出した電気の供給の有無に基づき、発熱手段を駆動するか、発熱手段の駆動を停止するかを判断する設備機器である。
【０００９】
本発明では、電気の供給が停止して発熱手段の駆動を停止した後、電気の供給が再開されると、発熱手段を駆動するか、発熱手段の駆動を停止するかが判断される。電気の供給される時間と供給が停止される時間が予め設定された電力供給制限モードが実行されていると、電気の供給が停止して発熱手段の駆動を停止した後、電気の供給が再開された場合は、発熱手段が駆動される。また、工事や障害の発生等による通常の停電で、電気の供給が停止して発熱手段の駆動を停止した後、電気の供給が再開された場合は、発熱手段が駆動されない。
【発明の効果】
【００１０】
本発明によれば、電気の供給が停止して発熱手段の駆動を停止した後、電気の供給が再開されると、発熱手段を駆動するか、発熱手段の駆動を停止するかを判断することができるので、使用者の操作によらず、電気を供給する電力会社との契約で決められる電気の供給パターンに合わせた運転を行うことができる。また、通常の停電時は、発熱手段の駆動を再開せず、使用者等の操作で運転を再開することができる。
【図面の簡単な説明】
【００１１】
【図１】本実施の形態の床暖房装置の一例を示す機能ブロック図である。
【図２】操作部の一例を示す説明図である。
【図３】復帰処理モードを選択する動作の一例を示すフローチャートである。
【図４】供給連動運転再開モードの動作の一例を示すフローチャートである。
【図５】電力供給パターンと供給連動運転再開モードでのヒータパネルの駆動と駆動停止の関係を示すタイムチャートである。
【図６】供給判定運転再開モードの動作の一例を示すフローチャートである。
【図７】電力供給パターンと供給判定運転再開モードでのヒータパネルの駆動と駆動停止の関係を示すタイムチャートである。
【図８】電力供給パターンと供給判定運転再開モードでのヒータパネルの駆動と駆動停止の関係を示すタイムチャートである。
【図９】運転停止モードの動作の一例を示すフローチャートである。
【図１０】電力供給パターンと運転停止モードでのヒータパネルの駆動と駆動停止の関係を示すタイムチャートである。
【図１１】過負荷時運転再開モードの動作の一例を示すフローチャートである。
【図１２】電力供給パターンと過負荷時運転再開モードでのヒータパネルの駆動と駆動停止の関係を示すタイムチャートである。
【発明を実施するための形態】
【００１２】
以下、図面を参照して、本発明の設備機器としての床暖房装置の実施の形態について説明する。
【００１３】
＜本実施の形態の床暖房装置の構成例＞
図１は、本実施の形態の床暖房装置の一例を示す機能ブロック図、図２は、操作部の一例を示す説明図である。
【００１４】
本実施の形態の床暖房装置１は、床に設置されるヒータパネル２と、ヒータパネル２を制御する操作装置３を備える。床暖房装置１は、操作装置３が分電盤４と接続されて、電気の供給を受ける。
【００１５】
ヒータパネル２は、電気を熱に変換する発熱手段の一例で、例えば、ＰＴＣ（Positive Temperature Coefficient）ヒータで構成される。ここで、本実施の形態では、熱源及び制御に電気が用いられる電気式の床暖房装置１について説明をするが、発熱手段として、温水が供給される構成のヒータパネル２を備えた温水式の床暖房装置であっても良く、電気給湯器等、熱源及び制御に電気が用いられる構成、あるいは、ガス給湯器等、制御に電気が用いられる構成の何れであっても良く、電気の供給が停止されることで、運転が停止される構成であれば良い。
【００１６】
操作装置３は、使用者等の操作を受けると共に、使用者等に情報を視認可能に出力する操作部３１と、操作部３１での操作、及び予め設定されたプログラムに基づいて、ヒータパネル２を制御する制御部３２を備える。
【００１７】
操作部３１は操作手段の一例で、図２に示すように、床暖房装置１の運転及び運転停止を操作する運転ボタン３１ａと、温度設定及びタイマの設定を行う設定ボタン３１ｂと、温度設定での温度の入力、及びタイマ設定での時間の入力を行う入力ボタン３１ｃを備える。また、操作部３１は、運転中であるか否かの表示、設定された温度の表示、設定された運転開始時刻、終了時刻の表示等が行われる表示部３１ｄを備える。
【００１８】
制御部３２は制御手段の一例で、操作部３１での操作に基づき、ヒータパネル２の駆動及び駆動停止を制御する。また、制御部３２は、分電盤４からの電気の供給の有無に基づき、ヒータパネル２の駆動及び駆動停止を制御する。
【００１９】
すなわち、電力会社との契約により、電気が供給される時間と供給が停止する時間が設定されている電力供給制限モードが実行されている場合、工事や障害の発生等による通常の停電とは別に、電気の供給が停止する時間が存在する。
【００２０】
制御部３２は、分電盤４から電気が供給されて、ヒータパネル２の駆動中に、分電盤４からの電気の供給が停止することで、ヒータパネル２の駆動を停止する。
【００２１】
そして、制御部３２は、ヒータパネル２の駆動を停止した後、分電盤４から電気が供給されたときに、ヒータパネル２を駆動する所定の処理、あるいはヒータパネル２の駆動を停止する所定の処理を実行する復帰処理モードが設定される
【００２２】
制御部３２は、分電盤４からの電気の供給が停止した後、電気の供給が再開されたときに実行される復帰処理モードとして、分電盤４からの電気の供給の有無に連動して、ヒータパネル２の駆動と駆動停止を制御する供給連動運転再開モードが設定される。
【００２３】
または、電力供給制限モードによる電気の供給停止と、通常の停電を区別して、復帰処理を実行できるようにしても良い。このため、制御部３２は、復帰処理モードとして、分電盤４から電気が供給されている時間と、電気の供給が停止している時間に基づき、電力供給制限モードが実行されているかを判断し、電力供給制限モードに連動してヒータパネル２の駆動と駆動停止を制御する供給判定運転再開モードが設定される。
【００２４】
あるいは、分電盤４からの電気の供給が停止した後、電気の供給が再開された場合に、ヒータパネル２の駆動を装置側の判断では行わず、使用者等の操作で行えるようにしても良い。このため、制御部３２は、復帰処理モードとして、分電盤４からの電気の供給の有無に基づき、ヒータパネル２の駆動を停止する運転停止モードが設定される。
【００２５】
または、短時間の停電は、過負荷によるブレーカ動作での一時的な遮断と判断して、復帰処理を実行できるようにしても良い。このため、制御部３２は、復帰処理モードとして、分電盤４からの電気の供給が停止している時間に基づき、電気の供給停止が一時的な遮断であるかを判断し、ヒータパネル２の駆動と駆動停止を制御する過負荷時運転再開モードが設定される。
【００２６】
制御部３２は、供給連動運転再開モード、供給判定運転再開モード、あるいは、運転停止モードの何れかの復帰処理モードが、予め設定されていても良い。また、これら復帰処理モードに加えて、過負荷時運転再開モードが設定されていても良い。
【００２７】
更に、供給連動運転再開モード、供給判定運転再開モード、あるいは、運転停止モードが、使用者等の操作で選択可能に構成されていても良い。例えば、図２に示す操作部３１に、復帰処理モード選択ボタン３１ｅを備え、制御部３２は、復帰処理モード選択ボタン３１ｅで選択された供給連動運転再開モード、供給判定運転再開モード、あるいは、運転停止モードを実行する。
【００２８】
制御部３２は、供給連動運転再開モード、供給判定運転再開モード、運転停止モード、過負荷時運転再開モードを実行する機能として、分電盤４からの電気の供給の有無を検出する検出部３２ａを備える。
【００２９】
また、制御部３２は、時間を計測する計時部３２ｂを備える。計時部３２ｂは、分電盤４から電気が供給される時間と、電気の供給が停止する時間を計時する。また、計時部３２ｂは、分電盤４から電気が供給される時間と、電気の供給が停止する時間を、複数回にわたって連続して計時する。制御部３２は、分電盤４からの電気の供給が停止している間であっても、計時部３２ｂを作動させるため、バッテリ等、バックアップ用の電源部３２ｃを備える。
【００３０】
更に、制御部３２は、電力供給制限モードで予め設定されている電気が供給される時間と供給が停止する時間の組み合わせで決定される電力供給パターンが記憶される記憶部３２ｄを備える。
【００３１】
制御部３２は、分電盤４から電気が供給されている状態では、操作部３１での所定の操作に基づきヒータパネル２を駆動することで、床暖房装置１の運転が行われる。
【００３２】
制御部３２は、ヒータパネル２の駆動中に、分電盤４からの電気の供給が停止されると、ヒータパネル２の駆動を停止する。制御部３２は、分電盤４からの電気の供給の有無を検出部３２ａで検出し、供給連動運転再開モードでは、分電盤４から電気が供給されたことを検出すると、ヒータパネル２の駆動を再開する。
【００３３】
制御部３２は、供給判定運転再開モードでは、分電盤４からの電気の供給が停止されると、電気の供給が停止されている時間を計時部３２ｂで計時する。また、制御部３２は、分電盤４からの電気の供給の有無を検出部３２ａで検出し、分電盤４から電気が供給されたことを検出すると、電気が供給されている時間を計時部３２ｂで計時する。
【００３４】
そして、制御部３２は、計時部３２ｂで計時された電気が供給される時間及び電気の供給が停止される時間と、記憶部３２ｄに記憶された電力供給パターンから、電力供給制限モードが実行されていると判断すると、電力供給制限モードに連動してヒータパネル２の駆動と駆動停止を行う。
【００３５】
すなわち、制御部３２は、分電盤４からの電気の供給が停止されると、ヒータパネル２の駆動を停止し、分電盤４から電気が供給されたことを検出すると、ヒータパネル２を駆動することで、電力供給制限モードでの電気の供給と供給の停止に連動させて、ヒータパネル２の駆動と駆動停止を行う。
【００３６】
一方、制御部３２は、計時部３２ｂで計時された電気が供給される時間及び電気の供給が停止される時間と、記憶部３２ｄに記憶された電力供給パターンから、電力供給制限モードではなく、通常の停電等で電気の供給が停止したと判断すると、分電盤４から電気が供給されたことを検出しても、ヒータパネル２を駆動しない。
【００３７】
制御部３２は、運転停止モードでは、分電盤４からの電気の供給が停止されると、ヒータパネル２の駆動を停止し、分電盤４から電気が供給されたことを検出しても、ヒータパネル２を駆動しない。
【００３８】
運転停止モードでは、通常の停電ではない電力供給制限モードで電気の供給が停止された後、電気の供給が再開しても、電気の供給と連動したヒータパネル２の駆動は行わず、使用者等により操作部３１が操作されると、運転を再開する。
【００３９】
制御部３２は、過負荷時運転再開モードでは、分電盤４からの電気の供給が停止されると、電気の供給が停止されている時間を計時部３２ｂで計時する。そして、制御部３２は、計時部３２ｂで計時された電気の供給が停止される時間が、予め設定された復帰時間以内であると判断すると、ヒータパネル２の駆動を行う。
【００４０】
＜本実施の形態の床暖房装置の動作例＞
次に、各図を参照して、本実施の形態の床暖房装置の動作の一例について説明する。
【００４１】
（ａ）復帰処理モードの選択動作例
図３は、復帰処理モードを選択する動作の一例を示すフローチャートである。復帰処理モードが選択可能な構成では、図３のステップＳＡ１で、復帰処理モード選択ボタン３１ｅでの操作で復帰処理モードが選択される。
【００４２】
制御部３２は、復帰処理モード選択ボタン３１ｅで選択された復帰処理モードに基づき、図３のステップＳＡ２では、供給連動運転再開モードを実行する。また、図３のステップＳＡ３では、供給判定運転再開モードを実行する。更に、図３のステップＳＡ４では、運転停止モードを実行する。
【００４３】
（ｂ）供給連動運転再開モードの動作例
図４は、供給連動運転再開モードの動作の一例を示すフローチャート、図５は、電力供給パターンと供給連動運転再開モードでのヒータパネルの駆動と駆動停止の関係を示すタイムチャートで、次に、供給連動運転再開モードの動作例について説明する。
【００４４】
ここで、図５（ａ）において、ＯＮは電気が供給されている状態、ＯＦＦは電気の供給が停止している状態を示す。また、図５（ｂ）において、ＯＮはヒータパネル２が駆動されている状態、ＯＦＦはヒータパネル２の駆動が停止されている状態を示す。
【００４５】
制御部３２は、図４のステップＳＢ１で、図５（ａ）に示すように分電盤４から電気が供給されている状態では、操作部３１での所定の操作に基づき、図５（ｂ）に示すようにヒータパネル２を駆動する。
【００４６】
制御部３２は、例えば、電力供給制限モードが実行されることにより、図４のステップＳＢ２で、ヒータパネル２の駆動中に、図５（ａ）に示すように分電盤４からの電気の供給が停止されると、図４のステップＳＢ３で、図５（ｂ）に示すようにヒータパネル２の駆動を停止する。
【００４７】
制御部３２は、図４のステップＳＢ４で、分電盤４からの電気の供給の有無を検出部３２ａで検出する。電力供給制限モードが実行されていると、図５（ａ）に示すように、電気の供給が停止される時間Ｔ１と電気が供給される時間Ｔ２が予め設定された所定の電力供給パターンで電気が供給される。
【００４８】
制御部３２は、供給連動運転再開モードでは、例えば、電力供給制限モードが実行されることにより、分電盤４からの電気の供給が停止した後、分電盤４から電気が供給されたことを検出すると、図４のステップＳＢ１で、図５（ｂ）に示すようにヒータパネル２を駆動する。
【００４９】
（ｃ−１）供給判定運転再開モードの動作例
図６は、供給判定運転再開モードの動作の一例を示すフローチャート、図７は、電力供給パターンと供給判定運転再開モードでのヒータパネルの駆動と駆動停止の関係を示すタイムチャートで、次に、供給判定運転再開モードの動作例について説明する。
【００５０】
ここで、図７（ａ）において、ＯＮは電気が供給されている状態、ＯＦＦは電気の供給が停止している状態を示す。また、図７（ｂ）において、ＯＮはヒータパネル２が駆動されている状態、ＯＦＦはヒータパネル２の駆動が停止されている状態を示す。
【００５１】
制御部３２は、図６のステップＳＣ１で、図７（ａ）に示すように分電盤４から電気が供給されている状態では、操作部３１での所定の操作に基づき、図７（ｂ）に示すようにヒータパネル２を駆動する。
【００５２】
制御部３２は、例えば、電力供給制限モードが実行されることにより、図６のステップＳＣ２で、ヒータパネル２の駆動中に、図７（ａ）に示すように分電盤４からの電気の供給が停止されると、図６のステップＳＣ３で、図７（ｂ）に示すようにヒータパネル２の駆動を停止する。
【００５３】
また、制御部３２は、分電盤４からの電気の供給が停止されると、図６のステップＳＣ４で、電気の供給が停止されている時間ｔ１を計時部３２ｂで計時する。
【００５４】
制御部３２は、図６のステップＳＣ５で、分電盤４からの電気の供給の有無を検出部３２ａで検出する。電力供給制限モードが実行されていると、図７（ａ）に示すように、電気の供給が停止される時間Ｔ１と電気が供給される時間Ｔ２が予め設定された所定の電力供給パターンで電気が供給される。
【００５５】
制御部３２は、供給判定運転再開モードでは、例えば、電力供給制限モードが実行されることにより、分電盤４からの電気の供給が停止した後、分電盤４から電気が供給されたことを検出すると、図６のステップＳＣ６で、電気が供給されている時間ｔ２を計時部３２ｂで計時する。
【００５６】
制御部３２は、分電盤４からの電気の供給が停止した後に、電気が供給されたことを１回目に検出した時点では、図７（ｂ）に示すように、ヒータパネル２を駆動しない。
【００５７】
制御部３２は、分電盤４から電気が供給された後、図６のステップＳＣ７で、電気の供給が停止されると、図６のステップＳＣ８で、電気の供給が停止されている時間ｔ３を計時部３２ｂで計時する。
【００５８】
制御部３２は、図６のステップＳＣ９で、分電盤４からの電気の供給の有無を検出部３２ａで検出し、分電盤４から電気が供給されたことを検出すると、図６のステップＳＣ１０で、電力供給制限モードが実行されているか否か判断する。
【００５９】
すなわち、制御部３２は、計時部３２ｂで計時された電気の供給が停止される時間ｔ１及びｔ３、及び、電気が供給される時間ｔ２を組み合わせたパターンと、記憶部３２ｄに記憶された電力供給パターンから、電力供給制限モードが実行されているか否か判断する。
【００６０】
制御部３２は、図６のステップＳＣ１０で、電力供給制限モードが実行されていると判断すると、図６のステップＳＣ１１で、電力供給制限モードに連動してヒータパネル２の駆動と駆動停止を行う。
【００６１】
すなわち、制御部３２は、分電盤４からの電気の供給が停止されると、図７（ｂ）に示すようにヒータパネル２の駆動を停止し、分電盤４から電気が供給されたことを検出すると、ヒータパネル２を駆動することで、電力供給制限モードでの電気の供給と供給の停止に連動させて、ヒータパネル２の駆動と駆動停止を行う。
【００６２】
一方、制御部３２は、図６のステップＳＣ１０で、電気が供給される時間と供給が停止される時間から、電力供給制限モードではなく、停電等で電気の供給が停止したと判断すると、分電盤４から電気が供給されたことを検出しても、図６のステップＳＣ１２で、ヒータパネル２を駆動せず、使用者等により操作部３１が操作されると、運転を再開する。
【００６３】
ここで、電力供給制限モードでは、電気の供給が停止される時間Ｔ１が予め決められている。このため、分電盤４からの電気の供給が停止された後、電気の供給が停止されている時間ｔ１を計時して、時間ｔ１が電力供給制限モードで電気の供給が停止される時間Ｔ１と一致すれば、電力供給制限モードが実行されていると判断できる。
【００６４】
但し、時間ｔ１が、通常の停電による停電時間と一致する可能性もあり、通常の停電を電力供給制限モードと誤判断する虞がある。そこで、１回目に電気の供給が停止された時間ｔ１、電気の供給の停止後、１回目に電気が供給された時間ｔ２、そして、２回目に電気の供給が停止された時間ｔ３を計時する。
【００６５】
そして、電力供給制限モードで予め設定されている電気の供給が停止される時間Ｔ１と電気が供給される時間Ｔ２との組み合わせで決定される記憶部３２ｄに記憶されている電力供給パターンと、計時部３２ｂで計時された１回目に電気の供給が停止された時間ｔ１、電気の供給の停止後、１回目に電気が供給された時間ｔ２、２回目に電気の供給が停止された時間ｔ３が一致するか判断する。
【００６６】
これにより、電気の供給と供給停止が交互に繰り返される電力供給制限モードでの電力供給パターンを利用して、通常の停電を電力供給制限モードと誤判断することを抑制して、電力供給制限モードが行われているか否かを判断できる。
【００６７】
従って、電力供給制限モードと通常の停電を区別して判断し、使用者等の操作によらず、電力供給制限モードでの電力供給パターンに合わせて、床暖房装置１の運転を行うことができる。
【００６８】
ここで、電力供給制限モードでは、電気の供給が停止される時間Ｔ１と電気が供給される時間Ｔ２の組み合わせが複数設定される。例えば、ある電力供給制限モードでは、電気の供給が停止される時間Ｔ１と電気が供給される時間Ｔ２が、それぞれ１５分ずつに設定される。
【００６９】
別の電力供給制限モードでは、電気の供給が停止される時間Ｔ１と電気が供給される時間Ｔ２が、例えば、それぞれ３０分ずつに設定される。そして、電力会社と使用者との契約によって、電力供給制限モードにおける電力供給パターンが設定される。
【００７０】
そこで、電気の供給が停止される時間Ｔ１と電気が供給される時間Ｔ２の組み合わせで決定される複数の電力供給パターンを記憶部３２ｄに記憶しておくと共に、所望の電力供給パターンを、操作部３１の例えば復帰処理モード選択ボタン３１ｅの操作で選択可能に構成する。
【００７１】
これにより、使用者が契約している電力供給制限モードでの電力供給パターンに合わせて、床暖房装置１の運転を行うことができる。
【００７２】
（ｃ−２）供給判定運転再開モードの変形例
図８は、電力供給パターンと供給判定運転再開モードでのヒータパネルの駆動と駆動停止の関係を示すタイムチャートで、次に、供給判定運転再開モードの変形例について説明する。
【００７３】
ここで、図８（ａ）において、ＯＮは電気が供給されている状態、ＯＦＦは電気の供給が停止している状態を示す。また、図８（ｂ）において、ＯＮはヒータパネル２が駆動されている状態、ＯＦＦはヒータパネル２の駆動が停止されている状態を示す。
【００７４】
制御部３２は、図８（ａ）に示すように分電盤４から電気が供給されている状態では、操作部３１での所定の操作に基づき、図８（ｂ）に示すようにヒータパネル２を駆動する。
【００７５】
制御部３２は、電力供給制限モードが実行されることにより、ヒータパネル２の駆動中に、図８（ａ）に示すように分電盤４からの電気の供給が停止されると、図８（ｂ）に示すようにヒータパネル２の駆動を停止する。また、制御部３２は、分電盤４からの電気の供給が停止されると、電気の供給が停止されている時間ｔ１を計時部３２ｂで計時する。
【００７６】
制御部３２は、分電盤４からの電気の供給の有無を検出部３２ａで検出し、分電盤４からの電気の供給が停止した後、分電盤４から電気が供給されたことを検出すると、電気が供給されている時間ｔ２を計時部３２ｂで計時する。また、制御部３２は、分電盤４からの電気の供給が停止した後に、電気が供給されたこと検出すると、図８（ｂ）に示すように、ヒータパネル２を駆動する。
【００７７】
制御部３２は、分電盤４から電気が供給された後、電気の供給が停止されると、図８（ｂ）に示すようにヒータパネル２の駆動を停止する。また、制御部３２は、電気の供給が停止されている時間ｔ３を計時部３２ｂで計時する。
【００７８】
制御部３２は、分電盤４からの電気の供給の有無を検出部３２ａで検出し、分電盤４から電気が供給されたことを検出すると、電力供給制限モードが実行されているか否か判断する。
【００７９】
すなわち、制御部３２は、計時部３２ｂで計時された電気の供給が停止される時間ｔ１及びｔ３、及び、電気が供給される時間ｔ２を組み合わせたパターンと、記憶部３２ｄに記憶された電力供給パターンから、電力供給制限モードが実行されているか否か判断する。
【００８０】
制御部３２は、電力供給制限モードが実行されていると判断すると、電力供給制限モードに連動してヒータパネル２の駆動と駆動停止を行う。すなわち、制御部３２は、分電盤４からの電気の供給が停止されると、ヒータパネル２の駆動を停止し、分電盤４から電気が供給されたことを検出すると、図８（ｂ）に実線で示すように、ヒータパネル２を駆動する。これにより、電力供給制限モードでの電気の供給と供給の停止に連動させて、ヒータパネル２の駆動と駆動停止を行う。
【００８１】
一方、制御部３２は、電気が供給される時間と供給が停止される時間から、電力供給制限モードではなく、停電等で電気の供給が停止したと判断すると、分電盤４から電気が供給されたことを検出しても、図８（ｂ）に破線で示すようにヒータパネル２を駆動せず、使用者等により操作部３１が操作されると、運転を再開する。
【００８２】
（ｄ）運転停止モードの動作例
図９は、運転停止モードの動作の一例を示すフローチャート、図１０は、電力供給パターンと運転停止モードでのヒータパネルの駆動と駆動停止の関係を示すタイムチャートで、次に、運転停止モードの動作例について説明する。
【００８３】
ここで、図１０（ａ）において、ＯＮは電気が供給されている状態、ＯＦＦは電気の供給が停止している状態を示す。また、図１０（ｂ）において、ＯＮはヒータパネル２が駆動されている状態、ＯＦＦはヒータパネル２の駆動が停止されている状態を示す。
【００８４】
制御部３２は、図９のステップＳＤ１で、図１０（ａ）に示すように分電盤４から電気が供給されている状態では、操作部３１での所定の操作に基づき、図１０（ｂ）に示すようにヒータパネル２を駆動する。
【００８５】
制御部３２は、例えば、電力供給制限モードが実行されることにより、図９のステップＳＤ２で、ヒータパネル２の駆動中に、図１０（ａ）に示すように分電盤４からの電気の供給が停止されると、図９のステップＳＤ３で、図１０（ｂ）に示すようにヒータパネル２の駆動を停止する。
【００８６】
電力供給制限モードが実行されていると、図１０（ａ）に示すように、電気の供給が停止される時間Ｔ１と電気が供給される時間Ｔ２が予め設定された所定の電力供給パターンで電気が供給される。
【００８７】
制御部３２は、運転停止モードでは、例えば、電力供給制限モードが実行されることにより、図９のステップＳＤ４で、分電盤４から電気が供給されたことを検出しても、図９のステップＳＤ５で、ヒータパネル２を駆動せず、使用者等により操作部３１が操作されると、運転を再開する。
【００８８】
（ｅ）過負荷時運転再開モードの動作例
図１１は、過負荷時運転再開モードの動作の一例を示すフローチャート、図１２は、電力供給パターンと過負荷時運転再開モードでのヒータパネルの駆動と駆動停止の関係を示すタイムチャートで、次に、過負荷時運転再開モードの動作例について説明する。
【００８９】
ここで、図１２（ａ）において、ＯＮは電気が供給されている状態、ＯＦＦは電気の供給が停止している状態を示す。また、図１２（ｂ）において、ＯＮはヒータパネル２が駆動されている状態、ＯＦＦはヒータパネル２の駆動が停止されている状態を示す。
【００９０】
制御部３２は、図１１のステップＳＥ１で、図１２（ａ）に示すように分電盤４から電気が供給されている状態では、操作部３１での所定の操作に基づき、図１２（ｂ）に示すようにヒータパネル２を駆動する。
【００９１】
制御部３２は、例えば、容量を超える電気製品の使用等による一時的な過負荷によりブレーカが作動したことで、図１１のステップＳＥ２で、ヒータパネル２の駆動中に、図１２（ａ）に示すように分電盤４からの電気の供給が停止されると、図１１のステップＳＥ３で、図１２（ｂ）に示すようにヒータパネル２の駆動を停止する。
【００９２】
また、制御部３２は、分電盤４からの電気の供給が停止されると、図１１のステップＳＥ４で、電気の供給が停止されている時間ｔを計時部３２ｂで計時する。
【００９３】
制御部３２は、図１１のステップＳＥ５で、分電盤４からの電気の供給の有無を検出部３２ａで検出する。制御部３２は、分電盤４からの電気の供給が停止した後、分電盤４から電気が供給されたことを検出すると、図１１のステップＳＥ６で、電気の供給が停止されている時間ｔが、予め設定された復帰時間以内であるか判断する。
【００９４】
制御部３２は、電気の供給が停止されている時間ｔが、予め設定された復帰時間以内であると判断すると、図１１のステップＳＥ７で、ヒータパネル２を駆動する。一方、制御部３２は、電気の供給が停止されている時間ｔが、予め設定された復帰時間を超えていると判断すると、図１１のステップＳＥ８で、ヒータパネル２を駆動せず、使用者等により操作部３１が操作されると、運転を再開する。
【００９５】
一時的な過負荷でブレーカが動作して電気の供給が停止した場合、通常、ブレーカの操作により数分程度の短時間で電気の供給が再開される。そこで、電気の供給が停止されている時間ｔを計時し、電気の供給が停止されている時間ｔが、予め設定された復帰時間以内であると、一時的な過負荷で電気が遮断されたものと判断して、ヒータパネル２の運転を再開することができる。
【産業上の利用可能性】
【００９６】
本発明は、電力会社との契約で、電力供給制限モードが実行される契約者が使用する特にヒータを有した設備機器に適用される。
【符号の説明】
【００９７】
１・・・床暖房装置、２・・・ヒータパネル、３・・・操作装置、３１・・・操作部、３２・・・制御部、３２ａ・・・検出部、３２ｂ・・・計時部、３２ｃ・・・電源部、３２ｄ・・・記憶部、４・・・分電盤
【図１】
2014167356.tif 000003
【図２】
2014167356.tif 000004
【図３】
2014167356.tif 000005
【図４】
2014167356.tif 000006
【図５】
2014167356.tif 000007
【図６】
2014167356.tif 000008
【図７】
2014167356.tif 000009
【図８】
2014167356.tif 000010
【図９】
2014167356.tif 000011
【図１０】
2014167356.tif 000012
【図１１】
2014167356.tif 000013
【図１２】
2014167356.tif 000014